(57)【要約】【課題】レバーの操作部と背面部材とによってゴムカバーをハウジングの外周側面に被着させることでゴムカバー付きコネクタの防水を図る。【解決手段】本明細書によって開示されるゴムカバー付きコネクタ１０は、相手側ハウジング（フード部７１）に嵌合可能に設けられ、相手側ハウジングとの嵌合方向に延びる外周側面を有するハウジング２０と、相手側ハウジングに設けられたカムピン７２に係合可能なカム溝６３を有するレバー本体部６２、およびレバー本体部６２の端部に設けられてレバー本体部６２の押し込み操作を可能とする操作部６１を有するレバー６０と、ハウジング２０の背面側に装着される背面部材と、ハウジング２０の外周側面に沿って配される筒状のゴムカバー４０とを備え、ゴムカバー４０は、レバー６０の操作部６１と背面部材とによってハウジング２０の外周側面に被着されている構成とした。【選択図】図７
2018092855.tif 000002
【特許請求の範囲】
【請求項１】
相手側ハウジングに嵌合可能に設けられ、前記相手側ハウジングとの嵌合方向に延びる外周側面を有するハウジングと、
前記相手側ハウジングに設けられたカムピンに係合可能なカム溝を有するレバー本体部、および前記レバー本体部の端部に設けられて前記レバー本体部の押し込み操作を可能とする操作部を有するレバーと、
前記ハウジングの背面側に装着される背面部材と、
前記ハウジングの外周側面に沿って配される筒状のゴムカバーとを備え、
前記ゴムカバーは、前記レバーの前記操作部と前記背面部材とによって前記ハウジングの外周側面に被着されているゴムカバー付きコネクタ。
【請求項２】
前記相手側ハウジングは、相手側筐体から突出して設けられており、
前記ゴムカバーは、前記相手側筐体に密着する環状リップを有している請求項１に記載のゴムカバー付きコネクタ。
【請求項３】
前記ゴムカバーは、前記レバーの前記操作部によって押圧される被押圧部を有しており、前記被押圧部には、前記レバーの前記レバー本体部を挿通させるレバー挿通孔が設けられている請求項１または請求項２に記載のゴムカバー付きコネクタ。
【請求項４】
前記操作部には、ロック突起が設けられており、前記ハウジングには、前記ロック突起が係止することで前記操作部を前記被押圧部に押圧した状態に保持させる被ロック部が設けられている請求項３に記載のゴムカバー付きコネクタ。
【請求項５】
前記背面部材は前方に開口した樹脂カバーであって、
前記樹脂カバーの開口縁部は、前記ゴムカバーの外面のうち前記操作部側の面を除く残りの面に接触している請求項４に記載のゴムカバー付きコネクタ。
【発明の詳細な説明】
【技術分野】
【０００１】
本明細書によって開示される技術は、ゴムカバー付きコネクタに関する。
【背景技術】
【０００２】
従来、グロメットによってコネクタハウジングを覆うことで防水を図ったコネクタとして、特許第３３９９３０５号公報（下記特許文献１）に記載したものが知られている。このコネクタは防水側コネクタハウジングを備え、この防水側コネクタハウジングは、雌端子金具が収容されたハウジング本体と、ハウジング本体の上面及び外周面を覆うように取り付けられた下面開放の箱状をなすゴム製のグロメットと、このグロメットに被せられた下面開放の箱状をなす樹脂製のグロメットカバーとを備えて構成されている。
【先行技術文献】
【特許文献】
【０００３】
【特許文献１】特許第３３９９３０５号公報
【発明の概要】
【発明が解決しようとする課題】
【０００４】
上記特許文献１の明細書の段落００１２には、「図には示さないが、グロメット２２の上面には筒状の電線引出部が形成されていて、これがグロメットカバー２３を貫通して外部へ延出されている。」と記載されている。しかしながら、筒状の電線引出部の具体的構造については何ら記載されておらず、電線引出部の内周面と電線の外周面との間をシールするシール構造、およびグロメットカバー２３と電線引出部との間をシールするシール構造がいずれも不明であるため、上記特許文献１は具体的なシール構造を開示するものではない。このように、実質的にはグロメット等のシール部材によってコネクタの防水を図る技術は未だに確立できていないといえる。
【課題を解決するための手段】
【０００５】
本明細書によって開示されるゴムカバー付きコネクタは、相手側ハウジングに嵌合可能に設けられ、前記相手側ハウジングとの嵌合面と直交する外周側面を有するハウジングと、前記相手側ハウジングに設けられたカムピンに係合可能なカム溝を有するレバー本体部、および前記レバー本体部の端部に設けられて前記レバー本体部の押し込み操作を可能とする操作部を有するレバーと、前記ハウジングの背面側に装着される背面部材と、前記ハウジングの外周側面に沿って配される筒状のゴムカバーとを備え、前記ゴムカバーは、前記レバーの前記操作部と前記背面部材とによって前記ハウジングの外周側面に被着されている構成とした。
【０００６】
このような構成によると、ハウジングの外周側面にゴムカバーが被着されているため、ハウジングの内部に水が浸入することを回避できる。ここで、ハウジングの外周側面に沿ってゴムカバーを単に配しただけでは、ハウジングの外周側面とゴムカバーとの間に隙間ができ、この隙間からハウジングの内部に水が浸入するおそれがあるところ、レバーの操作部と背面部材とによってゴムカバーをハウジングの外周側面に被着させているため、両者の間に隙間ができることはなく、十分なシール機能を発揮することができる。
【０００７】
本明細書によって開示されるゴムカバー付きコネクタは、以下の構成としてもよい。
前記相手側ハウジングは、相手側筐体から突出して設けられており、前記ゴムカバーは、前記相手側筐体に密着する環状リップを有している構成としてもよい。
このような構成によると、環状リップが相手側筐体に密着することでハウジングと相手側ハウジングの嵌合部分に水が浸入することを回避できる。
【０００８】
前記ゴムカバーは、前記レバーの前記操作部によって押圧される被押圧部を有しており、前記被押圧部には、前記レバーの前記レバー本体部を挿通させるレバー挿通孔が設けられている構成としてもよい。
このような構成によると、レバーのレバー本体部が被押圧部のレバー挿通孔を通ってハウジングの内部に進入することで、カムピンとカム溝の係合によるカム作用を発揮させることができる。また、レバーの操作部が被押圧部に面接触することでレバー挿通孔から水が浸入することを回避できる。
【０００９】
前記操作部には、ロック突起が設けられており、前記ハウジングには、前記ロック突起が係止することで前記操作部を前記被押圧部に押圧した状態に保持させる被ロック部が設けられている構成としてもよい。
このような構成によると、操作部のロック突起をハウジングの被ロック部に係止させることで操作部が被押圧部を押圧した状態に保持できる。また、ロック突起が被ロック部に係止しなかった場合には、ゴムカバーの弾性によって操作部が戻されるため、半嵌合状態であることを検知できる。
【００１０】
前記背面部材は前方に開口した樹脂カバーであって、前記樹脂カバーの開口縁部は、前記ゴムカバーの外面のうち前記操作部側の面を除く残りの面に接触している構成としてもよい。
このような構成によると、操作部と樹脂カバーの開口縁部が干渉することを回避しつつ、操作部と樹脂カバーの開口縁部とによってゴムカバーをハウジングの外周側面に被着させることができる。
【発明の効果】
【００１１】
本明細書によって開示される技術によれば、レバーの操作部と背面部材とによってゴムカバーをハウジングの外周側面に被着させることでゴムカバー付きコネクタの防水を図ることができる。
【図面の簡単な説明】
【００１２】
【図１】ゴムカバー付きコネクタの嵌合状態を斜め後方から見た斜視図
【図２】樹脂カバーを外した状態のゴムカバー付きコネクタの嵌合状態を斜め後方から見た斜視図
【図３】樹脂カバーを外した状態のゴムカバー付きコネクタを斜め前方から見た斜視図
【図４】樹脂カバーを外した状態のゴムカバー付きコネクタの嵌合状態を操作部側から見た側面図
【図５】樹脂カバーを外した状態のゴムカバー付きコネクタの嵌合状態を上方から見た平面図
【図６】図５におけるＡ−Ａ線断面図
【図７】図５におけるＢ−Ｂ線断面図
【図８】樹脂カバーを外した状態のゴムカバー付きコネクタの嵌合状態を後方から見た背面図
【図９】図８におけるＣ−Ｃ線断面図
【発明を実施するための形態】
【００１３】
＜実施形態＞
実施形態を図１から図８の図面を参照しながら説明する。本実施形態のゴムカバー付きコネクタ１０は、図１および図６に示すように、相手側筐体８０に突出して設けられた相手側コネクタ７０に嵌合可能とされている。以下においては、両コネクタ１０、７０の嵌合面側を前側として説明する。
【００１４】
相手側コネクタ７０は、図６に示すように、前方に開口する形態をなすフード部７１を有している。フード部７１の外面には、上下一対のカムピン７２が立設されている。上側のカムピン７２は、フード部７１の上面から上方に突出し、下側のカムピン７２は、フード部７１の下面から下方に突出している。
【００１５】
ゴムカバー付きコネクタ１０は、図６に示すように、合成樹脂製のハウジング２０と、ハウジング２０の外周側面に沿って配されるゴムカバー４０と、ハウジング２０に対して後方から組み付けられる樹脂カバー５０と、ハウジング２０に対して側方から組み付けられるレバー６０とを備えて構成されている。
【００１６】
図３に示すように、ハウジング２０は、図示しない端子が収容される複数のキャビティ２１が形成された端子収容部２２を有している。端子収容部２２は、全体として横長の形状とされ、端子収容部２２の外周には、相手側コネクタ７０のフード部７１が進入可能なフード部進入空間２３が形成されている。
【００１７】
図８に示すように、キャビティ２１の後端側は円形状とされており、この中には図示しないゴム栓が装着されるようになっている。ゴム栓には、図示しない電線を通す電線挿通孔が形成されており、ゴム栓が電線の外周面とキャビティの内周面との間に挟持されることで、キャビティ２１の後端開口への水の浸入が阻止されるようになっている。
【００１８】
図９に示すように、端子収容部２２の外周面にはゴムリング２４が嵌着されている。また、端子収容部２２の外周面であってゴムリング２４の前側にはフロントリテーナ２５が装着されており、このフロントリテーナ２５によってゴムリング２４が前方に抜け落ちることを防ぐことができる。
【００１９】
レバー６０は、図７に示すように、板状をなす操作部６１と、操作部６１から板厚方向に突出して設けられた一対のレバー本体部６２とを備えて構成されている。操作部６１は、図１に示すように、ゴムカバー付きコネクタ１０の外部に露出しているものの、一対のレバー本体部６２は、ハウジング２０の内部に収容されている。図６に示すように、ハウジング２０の内部において端子収容部２２の上下両側には、レバー６０の一対のレバー本体部６２がそれぞれ収容される上下一対のレバー収容部２６が設けられている。
【００２０】
レバー本体部６２には、カムピン７２が係合可能なカム溝６３が設けられている。一対のレバー本体部６２を一対のレバー収容部２６の内部に挿入し、操作部６１を押し込むと、相手側コネクタ７０の一対のカムピン７２とレバー本体部６２の一対のカム溝６３とが係合することによるカム作用によってゴムカバー付きコネクタ１０が相手側コネクタ７０側に引き寄せられる。操作部６１による一対のレバー本体部６２の押し込み操作が完了すると、ゴムカバー付きコネクタ１０と相手側コネクタ７０が正規嵌合状態に至る。
【００２１】
図２に示すように、操作部６１の側縁には、ロック片６４が設けられている。一方、ハウジング２０には、ロック片６４が差し込まれるロック孔２７が設けられている。図９に示すように、ロック片６４の先端にはロック突起６５が設けられており、このロック突起６５がロック孔２７の孔縁部２８に係止することで、レバー６０がハウジング２０に保持され、両コネクタ１０、７０が正規嵌合状態に保持される。
【００２２】
ゴムカバー４０は、図７に示すように、角筒状をなし、ハウジング２０の外周側面に沿って配されている。ここで、ハウジング２０の外周側面とは、相手側コネクタ７０との嵌合方向に延びる面であり、図７に示すハウジング２０の上面、下面、左側面、右側面の４面からなる一続きの面のことをいう。ゴムカバー４０において一対のレバー収容部２６と対応する位置には一対のレバー挿通孔４１が設けられている。レバー６０のレバー本体部６２は、レバー挿通孔４１に挿通される。
【００２３】
図６および図９に示すように、ゴムカバー４０の前端開口縁には、２条の環状リップ４２が周設されている。各環状リップ４２は、相手側筐体８０に対して密着しているため、相手側筐体８０からフード部７１を伝ってハウジング２０の内部に水が浸入することはない。なお、ハウジング２０の前端開口縁には、ゴムカバー４０の装着凹部４３に装着されるフランジ部３０が周設されており、フランジ部３０が相手側筐体８０側に押し込まれることによって２条の環状リップ４２がそれぞれ相手側筐体８０に押し付けられ、２重にシールされた状態となる。図１に示すように、環状リップ４２の外面には、操作部６１との干渉を防ぐ切り欠き４５が設定されている。
【００２４】
樹脂カバー５０は、図１に示すように、ハウジング２０の後面側に取り付けられ、ハウジング２０から後方に引き出された電線を略直角に曲げて側方に引き出すようにＬ字状に形成されている。図６に示すように、ハウジング２０の後面には、樹脂カバー５０を保持するためのカバーロック部３１が設けられており、カバーロック部３１が樹脂カバー５０の図示しないロック受け部に係止することで樹脂カバー５０がハウジング２０の後面側に装着、保持されている。樹脂カバー５０は前方に開口する形態をなし、図７に示すように、ゴムカバー４０の外面のうち操作部６１側の面を除く残りの３面に接触している。
【００２５】
また、樹脂カバー５０は、図６に示すように、樹脂カバー５０の前端開口部がゴムカバー４０の後端部に位置するようにハウジング２０に保持され、ゴムカバー４０の後端部は、樹脂カバー５０の前端開口部とハウジング２０の外周側面の後端部との間に挟持されている。したがって、ゴムカバー４０は、ハウジング２０の外周側面に被着され、ゴムカバー４０とハウジング２０の外周側面との間に隙間が形成されることはなく、ハウジング２０の後方から前記隙間に水が浸入することはないものとされている。
【００２６】
ゴムカバー４０は、ハウジング２０の外周側面に沿って配された角筒状をなし、図７に示すように、レバー６０の操作部６１によって押圧される被押圧部４４を有している。レバー６０のロック突起６５がハウジング２０のロック孔２７の孔縁部２８に係止した状態では、ゴムカバー４０の被押圧部４４が操作部６１とハウジング２０の外周側面との間に挟持されている。前記したレバー挿通孔４１は、被押圧部４４に設けられている。したがって、レバー挿通孔４１の孔縁部は、レバー６０の操作部６１とレバー収容部２６の開口部２９との間に挟持され、レバー挿通孔４１からレバー収容部２６を通ってハウジング２０の内部に水が浸入することはない。
【００２７】
なお、レバー６０のロック突起６５がハウジング２０のロック孔２７の孔縁部２８に係止していない場合には、被押圧部４４の弾性によって操作部６１が戻されるため、ゴムカバー付きコネクタ１０が半嵌合状態であることを検知できる。
【００２８】
以上のように本実施形態では、ハウジング２０の外周側面にゴムカバー４０が被着されているため、ハウジング２０の内部に水が浸入することを回避できる。ここで、ハウジング２０の外周側面に沿ってゴムカバー４０を単に配しただけでは、ハウジング２０の外周側面とゴムカバー４０との間に隙間ができ、この隙間からハウジング２０の内部に水が浸入するおそれがあるところ、レバー６０の操作部６１と背面部材（樹脂カバー５０）とによってゴムカバー４０をハウジング２０の外周側面に被着させているため、両者の間に隙間ができることはなく、十分なシール機能を発揮することができる。
【００２９】
相手側ハウジング（フード部７１）は、相手側筐体から突出して設けられており、ゴムカバー４０は、相手側筐体８０に密着する環状リップ４２を有している構成としてもよい。
このような構成によると、環状リップ４２が相手側筐体８０に密着することでハウジング２０と相手側ハウジングの嵌合部分に水が浸入することを回避できる。
【００３０】
ゴムカバー４０は、レバー６０の操作部６１によって押圧される被押圧部４４を有しており、被押圧部４４には、レバー６０のレバー本体部６２を挿通させるレバー挿通孔４１が設けられている構成としてもよい。
このような構成によると、レバー６０のレバー本体部６２が被押圧部４４のレバー挿通孔４１を通ってハウジング２０の内部に進入することで、カムピン７２とカム溝６３の係合によるカム作用を発揮させることができる。また、レバー６０の操作部６１が被押圧部４４に面接触することでレバー挿通孔４１から水が浸入することを回避できる。
【００３１】
操作部６１には、ロック突起６５が設けられており、ハウジング２０には、ロック突起６５が係止することで操作部６１を被押圧部４４に押圧した状態に保持させる被ロック部（孔縁部２８）が設けられている構成としてもよい。
このような構成によると、操作部６１のロック突起６５をハウジング２０の被ロック部に係止させることで操作部６１が被押圧部４４を押圧した状態に保持できる。また、ロック突起６５が被ロック部に係止しなかった場合には、ゴムカバー４０の弾性によって操作部６１が戻されるため、半嵌合状態であることを検知できる。
【００３２】
背面部材は前方に開口した樹脂カバー５０であって、樹脂カバー５０の開口縁部は、ゴムカバー４０の外面のうち操作部６１側の面を除く残りの面に接触している構成としてもよい。
このような構成によると、操作部６１と樹脂カバー５０の開口縁部が干渉することを回避しつつ、操作部６１と樹脂カバー５０の開口縁部とによってゴムカバー４０をハウジング２０の外周側面に被着させることができる。
【００３３】
＜他の実施形態＞
本明細書によって開示される技術は上記記述及び図面によって説明した実施形態に限定されるものではなく、例えば次のような種々の態様も含まれる。
（１）上記実施形態では角筒状のゴムカバー４０を例示しているものの、筒状であれば他の形状としてもよい。
【００３４】
（２）上記実施形態では相手側筐体８０に密着する環状リップ４２を設けているものの、相手側コネクタ７０のフード部７１に密着する環状リップを設けてもよい。
【００３５】
（３）上記実施形態ではゴムカバー４０にレバー挿通孔４１を設けているものの、レバー挿通孔４１に代えて、カムピンをゴムカバー４０の外部に突出させるカムピン挿通孔を設けてもよい。
【００３６】
（４）上記実施形態では操作部６１にロック突起６５を設けているものの、レバー本体部６２にロック突起を設けてもよい。
【００３７】
（５）上記実施形態では背面部材として樹脂カバー５０を例示しているものの、例えば一括ゴム栓を用いて複数のキャビティを一括して止水するコネクタにおいては、一括ゴム栓を抜け止めするバックリテーナを背面部材としてもよい。
【符号の説明】
【００３８】
１０…ゴムカバー付きコネクタ
２０…ハウジング
２８…孔縁部（被ロック部）
４０…ゴムカバー
４１…レバー挿通孔
４２…環状リップ
４４…被押圧部
５０…樹脂カバー（背面部材）
６０…レバー
６１…操作部
６２…レバー本体部
６３…カム溝
６５…ロック突起
７１…フード部（相手側ハウジング）
７２…カムピン
８０…相手側筐体
【図１】
2018092855.tif 000003
【図２】
2018092855.tif 000004
【図３】
2018092855.tif 000005
【図４】
2018092855.tif 000006
【図５】
2018092855.tif 000007
【図６】
2018092855.tif 000008
【図７】
2018092855.tif 000009
【図８】
2018092855.tif 000010
【図９】
2018092855.tif 000011